(57)【要約】【課題】円板体１６に対する環状巻芯部材１７の脱着処理の利便性を維持させた上で環状巻芯部材１７に帯状シートを的確に巻き取ることができるようにする。【解決手段】シート巻取回転軸８ａ、８ｂに回転可能に嵌着され且つ環状半径面部１６ａ、係止外周面部１６ｂ及び中心張出フレーム部１６ｃを具備した円板体１６と、環状半径面部１６ａに密接され且つ係止外周面部１６ｂに密嵌されるように円板体１６に係着される環状巻芯部材１７と、該環状巻芯部材１７に密接される環状当接部材１８と、該環状当接部材１８を位置保持し且つ、該環状当接部材１８に付与される特定大きさ以上の押し力により環状当接部材１８が円板体１６に対し脱着変位されることを許容する弾性保持手段１９とを備えた構成となす。【選択図】図４
2005324926.tif 000002
【特許請求の範囲】
【請求項１】
シート巻取回転軸の外周面部に回転可能に嵌着され且つ、環状半径面部を具備し且つ、該環状半径面部の内方側に位置された係止外周面部を具備し且つ、該係止外周面部に対し反環状半径面部側へ張り出された中心張出フレーム部を具備した円板体と、一側面を前記環状半径面部に密接され且つ内周面部を前記係止外周面部に密嵌されるように前記円板体に係着される環状巻芯部材と、該環状巻芯部材の他側面に密接される環状当接部材と、該環状当接部材を前記環状半径面部に当接させ押圧した状態に位置保持し且つ、該環状当接部材に付与される特定大きさ以上の押し力により該環状当接部材が前記円板体に対し脱着変位されることを許容する弾性保持手段とを備えていることを特徴とするシート巻芯係着回転具。
【請求項２】
前記弾性保持手段が、前記中心張出フレーム部の外周面に形成された環状溝と、該環状溝内の底面に面して嵌着された環状ゴム質部材と、該環状ゴム質部材の最外周部分に外嵌状に張設された環状コイルスプリングとからなっていることを特徴とする請求項１記載のシート巻芯係着回転具。
【請求項３】
前記環状半径面部の外周縁の周方向上の特定間隔を置いた複数個所のそれぞれに切欠を形成されており、該切欠は指先大きさに関連した大きさとなされ且つ、前記係止外周面部よりもこれの中心側へ及ぶものとなされていることを特徴とする請求項１又は２記載のシート巻芯係着回転具。
【請求項４】
前記環状半径面部の外周縁、及び、前記環状当接部材の外周縁が、前記環状巻芯部材の外周面からこれの半径方向の外側へ突出されていることを特徴とする請求項１、２又は３記載のシート巻芯係着回転具。
【請求項５】
前記環状巻芯部材が、その外周面の各側縁部にこれの半径方向外側に突出された環状側壁部を形成したことを特徴とする請求項１、２、３又は４記載のシート巻芯係着回転具。
【請求項６】
シート巻取回転軸回りに回転可能に嵌着される円板体に環状巻芯部材を弾性保持手段を介して同心状に係着されるものとなされたシート巻芯係着回転具において、前記環状巻芯部材の外周面の各側縁部にこれの半径方向外側へ０．２ｍｍ〜数ｍｍ程度突出された環状側壁部を形成したことを特徴とするシート巻芯係着回転具。
【発明の詳細な説明】
【技術分野】
【０００１】
本発明は、帯状シートを巻き取るものとしたシート巻芯係着回転具に関する。
【背景技術】
【０００２】
従来、円板体に環状巻芯部材を弾性保持手段を介して同心状に係着されるものとなされたシート巻芯係着回転具は存在している。該シート巻芯係着回転具で帯状シートを巻き取るときは、該シート巻芯係着回転具をシート巻取回転軸の外周面部に回転可能に嵌着すると共に、特定個所から繰り出し供給される帯状シートの始端を環状巻芯部材の外周面に止着し、この状態でシート巻取回転軸をモータ等で回転させ、該シート巻取回転軸の回転力を円板体及び環状巻芯部材にこれらの回転力が特定大きさ以上にならないようにシート張力調整機構を介して伝達させるのであり、これにより環状巻芯部材はシート巻取回転軸回りへ回転して帯状シートを順次に適正な張力で巻き取る。
【０００３】
このような帯シートの巻取りが進行してその径が特定大きさとなったとき、シート巻芯係着回転具をシート巻取回転軸から抜き取り、さらにシート巻芯係着回転具の円板体から環状巻芯部材に巻き取られたシートロールを環状巻芯部材と同体状に抜き出すのであり、こうして得られた環状巻芯部材及びこれに巻き取られたシートロールは、以後、シートロール製品として一体状に移動され利用される。
【０００４】
さらに別の環状巻芯部材に帯状シートを巻き取るときは、円板体にその環状巻芯部材を係着した後、先と同様に、これら円板体及び環状巻芯部材をシート巻取回転軸に嵌着し、再び帯状シートを巻き取らせるようにする。
【０００５】
上記シート巻芯係着回転具の技術水準を示す公知資料としては特許文献１及び特許文献２等が存在している。
【特許文献１】特開平１１−９１９９４号公報
【特許文献２】特開２０００−１６６４２号公報
【発明の開示】
【発明が解決しようとする課題】
【０００６】
上記した従来のシート巻芯係着回転具では、円板体に対する環状巻芯部材の位置の安定性とか環状巻芯部材に対する帯状シートの相対位置の的確性等が、特に帯状シートの巻取り処理の初期段階、即ち、円板体や環状巻芯部材が数回転するまでの期間中に損なわれることに起因して、帯状シートが環状巻芯部材の外周面から横方へ外れることが生じ、その後の巻取りが続行できなくなることがある。
【０００７】
本発明は、斯かる問題点に鑑みてなされたものであり、円板体に対する環状巻芯部材の脱着処理の容易性を確保した上で環状巻芯部材に帯状シートを的確に巻き取ることのできるシート巻芯係着回転具を提供することを目的とするものである。
【課題を解決するための手段】
【０００８】
上記目的を達成するため、第１の発明は、請求項１に記載したように、シート巻取回転軸の外周面部に回転可能に嵌着され且つ、環状半径面部を具備し且つ、該環状半径面部の内方側に位置された係止外周面部を具備し且つ、該係止外周面部に対し反環状半径面部側へ張り出された中心張出フレーム部を具備した円板体と、一側面を前記環状半径面部に密接され且つ内周面部を前記係止外周面部に密嵌されるように前記円板体に係着される環状巻芯部材と、該環状巻芯部材の他側面に密接される環状当接部材と、該環状当接部材を前記環状半径面部に当接させ押圧した状態に位置保持し且つ、該環状当接部材に付与される特定大きさ以上の押し力により該環状当接部材が前記円板体に対し脱着変位されることを許容する弾性保持手段とを備えているものである。
【０００９】
該発明は次のように具体化するのがよい。
即ち、請求項２に記載したように、前記弾性保持手段が、前記中心張出フレーム部の外周面に形成された環状溝と、該環状溝内の底面に面して嵌着された環状ゴム質部材と、該環状ゴム質部材の最外周部分に外嵌状に張設された環状コイルスプリングとからなっている構成となす。
【００１０】
また請求項３に記載したように、前記環状半径面部の外周縁の周方向上の特定間隔を置いた複数個所のそれぞれに切欠を形成されており、該切欠は指先大きさに関連した大きさとなされ且つ、前記係止外周面部よりもこれの中心側へ及ぶものとなされている構成となす。
【００１１】
また請求項４に記載したように、前記環状半径面部の外周縁、及び、前記環状当接部材の外周縁が、前記環状巻芯部材の外周面からこれの半径方向の外側へ突出されているものとなす。
【００１２】
また請求項５に記載したように、前記環状巻芯部材がその外周面の各側縁部にこれの半径方向外側に突出された環状側壁部を形成されていることを特徴とする請求項１、２、３又は４記載のシート巻芯係着回転具。
【００１３】
そして第２の発明は、請求項６に記載したように、シート巻取回転軸回りに回転可能に嵌着される円板体に環状巻芯部材を弾性保持手段を介して同心状に係着されるものとなされたシート巻芯係着回転具において、前記環状巻芯部材の外周面の各側縁部にこれの半径方向外側へ０．２ｍｍ〜数ｍｍ程度突出された環状側壁部を形成したものである。
【発明の効果】
【００１４】
上記した本発明によれば、次のような効果が得られる。
即ち、請求項１に記載したものによれば、環状当接部材が係止外周面部でその半径方向の位置を保持されると共に、弾性力により環状当接部材を介して環状半径面部に押圧されてシート巻取回転軸の回転中心線方向の位置を保持されるため、円板体に対する環状当接部材の位置が従来よりも正確且つ安定的に保持されるようになり、環状巻芯部材の外周面に帯状シートを的確に巻き取らせることができる。また弾性保持手段がシート巻取回転軸の回転中心線方向の押し力の付与により円板体に対する前記環状巻芯部材の脱着が行えるものとなるため、円板体に対する環状巻芯部材の脱着を簡易に行えるものである。
【００１５】
また請求項２に記載したものによれば、弾性保持手段を簡易且つコンパクトに形成することができると共に、環状ゴム質部材と環状コイルスプリングの存在により、円板体に対する環状当接部材や環状巻芯部材の脱着を容易に行えるようになると共に環状当接部材を介して環状巻芯部材を円板体の環状半径面部に弾性力で安定的に押し当てさせることができる。
【００１６】
また請求項３に記載したものによれば、切欠に指先を挿入することにより、環状巻芯部材の環状半径面部側の一側面に環状半径面部から離れる向きへその指先による押圧力を付与することができるようになり、環状半径面部及び環状当接部材を円板体から簡易に分離させることができるのであり、また環状巻芯部材に帯状シートを巻き取るときに帯状シートの始端を環状巻芯部材の外周面に止着する処理が行われるが、この処理において切欠の存在が環状巻芯部材の外周面上に位置させた帯状テープの処理を容易となして、その止着処理が迅速に行えるようになる。
【００１７】
また請求項４に記載したものによれば、環状巻芯部材に帯状シートを巻き取るときの初期において、環状巻芯部材の外周面に巻き取られる帯状シートが環状巻芯部材の外周面の横方へ外れようとするのを環状半径面部の外周縁、及び、環状当接部材の外周縁が阻止することにより、環状巻芯部材と帯状シートとの相対位置の的確性が確保されるようになり、帯状シートを環状巻芯部材に的確に巻き取らせることができる。
【００１８】
さらに請求項５又は６に記載したものによれば、環状巻芯部材に帯状シートを巻き取るときの初期において、環状巻芯部材の外周面に巻き取られる帯状シートが環状巻芯部材の外周面の横方へ外れようとするのを各環状側壁部に阻止させて、帯状シートを環状巻芯部材に的確に巻き取らせることができる。
【発明を実施するための最良の形態】
【００１９】
以下に本発明の実施の形態について図面を参照して説明する。
図１は本発明に係るシート巻芯回転具が装着されたスリッター巻取機１００の概略を示している。スリッター巻取機１００は、紙やプラスチックフィルム等の広幅シートＡの供給軸１と、広幅シートＡを縦方向にスリットする第１円形刃２及び第２円形刃３からなるカッター装置４と、カッター装置４に広幅シートＡを供給する供給ロール５ａ、５ｂ、カッター装置４で切断された細幅帯状シートＡ１、Ａ２を上下に振り分けて引き取る引取ロール６ａ、６ｂ及び引取ロール７ａ、７ｂ、引き取られた細幅帯状シートＡ１、Ａ２を巻き取るための第１シート巻取回転軸８ａ及び第２シート巻取回転軸８ｂとからなる。広幅シートＡ及び細幅帯状シートＡ１、Ａ２は上記した各部材のほかにガイドロール９ａ〜９ｄ及び張力調整ロール１０を通る。
【００２０】
図２はカッター装置４を示したものである。第１円形刃２は、ホルダ１１を介してモータ等（図示略）により回転される第１回転軸１２に支持されており、広幅シートＡを細幅帯状シートＡ１、Ａ２に細断するように所定間隔を置いて位置され刃面の方向を第１回転軸１２の半径面に沿わせて取り付けられている。
そして、第２円形刃３は第２回転軸１３上に刃面を第２回転軸１２の半径面に沿わせて第１円形刃２に対応した数だけ固設されている。
【００２１】
このように、第１円形刃２を取り付けた第１回転軸１２と第２円形刃３を取り付けた第２回転軸１３は、双方の刃面が平行状になるように配置されて、第１円形刃２の刃面を第２円形刃３の刃面に押し当てられている。
【００２２】
第１回転軸１２と第２回転軸１３は広幅シートＡを噛み込む方向に回転するもので、これらの回転数は広幅シートＡの材質、厚み、第１円形刃２や第２円形刃３の切れ味等により任意に設定すればよい。また、第１回転軸１２と第２回転軸１３の回転数は同数が好ましいが、薄物シート等において相対的に異なった回転数としてもよい。
【００２３】
第１円形刃２と第２円形刃３とはラップするように配置されて対応するもの同士が圧接されており、第１回転軸１２及び第２回転軸１３が回転したとき両刃面が摺動し、両円形刃２、３間を走行する広幅シートＡが連続して剪断により切断される。
【００２４】
供給ロール５ａ、５ｂは広幅シートＡを挟圧して保持し、カッター装置４が両円形刃２、３間を走行する広幅シートＡを連続してスリットする。供給ロール５ａ、５ｂはそれぞれ公知のシリンダー（図示略）を具備したロール挟圧力調整機構等を使用して圧力調整される。
【００２５】
両円形刃２、３で切断された細幅帯状シートＡ１、Ａ２は、１つ置きに上下に振り分けられるのであり、一方の細幅帯状シートＡ１は引取ロール６ａ、６ｂで上側に引き取られ、他方の細幅帯状シートＡ２は引取ロール７ａ、７ｂで下側に引き取られる。引取ロール６ａ及び６ｂ、引取ロール７ａ及び７ｂはそれぞれ連結された構造となされており、図示しないシリンダー機構により上下に位置変更可能となされている。引取ロール６ａ及び６ｂが上方へ移動され、引取ロール７ａと７ｂが下方へ移動されることにより、引取ロール６ａ及び６ｂと、引取ロール７ａ及び７ｂとは上下方向に間隔が開いて、細幅帯状シートＡ１、Ａ２はカッター装置で切断された後に、一層大きく上下に振り分けられるようになる。
【００２６】
図３に示すように、第１及び第２のシート巻取回転軸８ａ、８ｂのそれぞれには、前記細幅帯状シートＡ１又はＡ２の数に見合った数の本発明に係るシート巻芯回転具１５が装着されていて、これら複数のシート巻芯回転具１５のそれぞれに細幅帯状シートＡ１又はＡ２を巻き付けるようにしている。そして、それぞれのシート巻芯回転具１５において、細幅帯状シートＡ１又はＡ２が巻き付けられて形成される各シートロールは広幅シートＡの厚みムラによって巻径が相違するものとなって各シートロールの巻取張力が異なってくるので、後述するように各シート巻芯回転具１５はその張力調整機構を含むものとなされている。
【００２７】
当該スリッター巻取機１００では、第１及び第２円形刃２、３などからなるカッター装置４が、原反である広幅シート（例えば厚さ７０マイクロメートル程度のもの）Ａを多数条の等しい幅（例えば１．５ｍｍ程度）の細幅帯状シートＡ１、Ａ２にスリットする。スリットされた細幅帯状シートＡ１、Ａ２はそのスリット後に引取ロール６ａ及び６ｂと、引取ロール７ａ及び７ｂとで上下に分けて案内され、第１及び第２シート巻取回転軸８ａ、８ｂにそれぞれ間隔を置いて配置され細幅帯状シートＡ１又はＡ２の数と同数となされたシート巻芯回転具１５に巻取られる。
【００２８】
図１に示すガイドロール９ｄはシート巻芯回転具１５に巻き取られた細幅帯状シートＡ１、Ａ２（シートロール）の巻取り径の増大に応じて変位させるのであり、この際、常にシートロール近傍に位置させることが望ましい。また細幅帯状シートＡ１、Ａ２は、これの幅とシート巻芯回転具１５の巻取り個所の幅との大小関係によっては、引き取りロール６ｂ、７ｂとその対応したガイドロール９ｄとの間で拡幅されることがあるが、この場合には、ガイドロール９ｄの外周面に細幅帯状シートＡ１、Ａ２の幅に応じた幅を有する環状溝が形成される。また細幅帯状シートＡ１、Ａ２が既述のように拡幅されない場合であっても、細幅帯状シートＡ１、Ａ２の幅方向の位置の安定性を確保するため、ガイドロール９ｄの外周面に細幅帯状シートＡ１、Ａ２の幅に応じた幅を有する環状溝を形成されることがある。
【００２９】
上記シート巻芯回転具１５のそれぞれは、図４及び図５等に示すように、シート巻取回転軸８ａ、８ｂの外周面部に回転可能に嵌着される円板体１６と、円板体１６に係着される環状巻芯部材１７と、該環状巻芯部材１７に当接される環状当接部材１８と、環状当接部材１８を弾性力で押圧し円板体１６上の特定位置に保持するほかシート巻取回転軸８ａ、８ｂの回転中心線方向へ向かう押し力の付与により円板体１６に対する環状巻芯部材１７の脱着を可能とした弾性保持手段１９とを備えている
【００３０】
上記円板体１６は、図６にも示すように、環状半径面部１６ａを具備し且つ環状半径面部１６ａの最小径以下の径となされた係止外周面部１６ｂを具備し且つ係止外周面部１６ｂよりも反環状半径面部１６ａ側へ張り出した中心張出フレーム部１６ｃを具備したもので、中心位置には円板体の半径面と直交した向きの円形透孔１６ｄを有している。この際、環状半径面部１６ａ、係止外周面部１６ｂ及び中心張出フレーム部１６ｃは円形透孔１６ｄと同心状に配置されており、これらの中心はシート巻取回転軸８ａ、８ｂの回転中心に合致される。円形透孔１６ｄには径大内周面部ａ１と径小内周面部ａ２とが形成されると共に、径大内周面部ａ１と径小内周面部ａ２との境界個所には環状仕切突条ａ３が形成されている。環状半径面部１６ａの外周縁の複数の周方向特定間隔個所には指先大きさ程度の切欠ｂ１がその半径方向内側へ向け且つ係止外周面部１６ｂよりも内側へ及ぶ深さとなるように形成されている。
【００３１】
円板体１６には張力調整機構２０が組み込まれており、該張力調整機構２０は径大内周面部ａ１に筒形スペーサ２１を密嵌して、筒形スペーサ２１の内周面個所に転がり軸受（例えばボールベアリング又はローラベアリング）２２ａを嵌着すると共に、径小内周面部ａ２にも同様な転がり軸受２２ｂを嵌着し、前者の転がり軸受２２ａの外側方に転がり軸受２２ａと対向するように円板形スペーサ２３を配置され、円板形スペーサ２３の内周面部の環状膨大部分２３ａの転がり軸受２２ａ側個所を転がり軸受２２ａの内輪ｃ１の側面に当接可能となされると共に該円環形スペーサ２３を円形透孔１６ｄ内に遊嵌し、さらに円環形スペーサ２３が円形透孔１６ｄ内から外方へ脱出するのを規制するために複数の頭部付雄ネジ２４を円板体１６の特定半径位置に螺着すると共に円環形スペーサ２３の内周面の特定個所に、シート巻取回転軸８ａ、８ｂの外周面の周方向特定位置に位置されシート巻取回転軸８ａ、８ｂの回転中心線方向へ向けて形成された直状溝ｍに嵌合される内向き突起２３ｂを有するものとなされている。
【００３２】
円板体１６のそれぞれはシート巻取回転軸８ａ、８ｂに円形透孔１６ｄを介して、内向き突起２３ｂが直状溝ｍに嵌合されるように且つ、他の円板体１６に対し並列状に且つ、他の円板体１６の円環形スペーサ２３に一側の転がり軸受２２ｂの内輪ｃ２が密接状に当接するように且つ、シート巻取回転軸８ａ、８ｂの回転中心線方向への移動可能なように外嵌されるのであり、またこのように並列された円板体１６列の両端最外位置に位置した転がり軸受２２ａ、２２ｂの一対の内輪ｃ１、ｃ２にこれらを近接させるように作用する任意な大きさの押圧力を付与するものとした押圧手段（流体圧シリンダ装置等）２５が張力調整機構２０の一構成要素として各シート巻取回転軸８ａ、８ｂ上に装設される。該押圧手段２５に任意な大きさの押圧力を発生させると、各円板体１６における一対の転がり軸受２２ａ、２２ｂの内輪ｃ１、ｃ２が互いに近接される側へ特定押圧力Ｆで押圧されると同時に、該一対の転がり軸受２２ａ、２２ｂの外輪ｃ３、ｃ４がこれらの対応する内輪ｃ１、ｃ２との間に介装されたボールｄを介して伝達される押圧手段２５の押圧力に対抗することから、これら内輪ｃ１、ｃ２、ボールｄ及び外輪ｃ３、ｃ４の当接力作用状態が押圧手段２５の押圧力に対応した状態に変化するものとなって、内輪ｃ１及び外輪ｃ３の相対回転抵抗、及び、内輪ｃ２及び外輪ｃ４の相対回転抵抗が押圧手段２５の押圧力に対応した大きさに変化する。
【００３３】
環状巻芯部材１７はプラスチック等の合成樹脂材からなる特定厚さ（例えば２ｍｍ程度）の環状円形板となされていて、円板体１６に対して一側面を環状半径面部１６ａに密接され内周面を係止外周面部１６ｂに密状に外嵌された状態に係着されると共に該係着状態で外周面をシート巻取回転軸８ａ、８ｂの回転中心線と平行な平面となされている。
【００３４】
環状当接部材１８は図７にも示すように、環状巻芯部材１７の反環状半径面部１６ａ側に当接される環状当接面１８ａを備えていて、内周面１８ｂを張出中心フレーム部１６ｃの径よりも僅かに大きくなされると共に内周面１８ｂの反環状半径面部１６ａ側の端縁に鋭利な角が形成されないように面取りを施されるほか、外周縁ｇ２に円板体１６の切欠ｂ１に対応した位置にこれよりも半径方向深さを小さくなされた指先大きさ程度の切欠ｅ１を形成されている。該環状当接部材１８は環状巻芯部材１７の回転中心線方向厚さに応じて異なる形態となされるのであり、例えば環状巻芯部材１７の回転中心線方向厚さが２ｍｍ程度であるときは図７に示すような単純な環状円形板となされるのであり、またその厚さが４ｍｍ程度であるときは図８Ａに示すように全体厚さを環状巻芯部材１７の厚さに応じて大きくなされ、環状巻芯部材１７側の側面に環状巻芯部材１７の内周面が密状に外嵌される係止外周面部１８ｃを形成されると共に、反環状巻芯部材１７側の側面の内周面１８ｂ近傍に環状傾斜面１８ｄを形成することにより内周面１８ｂの中心線方向の長さを図４に示す環状当接部材１８のそれと同一となされるのであり、またその厚さが６ｍｍ程度であるときは、図８Ｂに示すように、全体形状については図８Ａに準じたものとなされるものの、次の点で異なったものとなされるのであって、即ち、全体厚さを環状巻芯部材１７の厚さに応じて大きくなされると共に、係止外周面部１８ｃの中心線方向長さを図８Ａの場合よりもさらに大きくなされる。
【００３５】
弾性保持手段１９は、中心張出フレーム部１６ｃの外周面に環状溝１６ｅを形成して、環状溝１６ｅの内方の奥側にゴム質環状部材（例えばＯリング）２６を張り状に嵌着して環状溝１６ｅの底面に密着させ、また環状溝１６ｅの内方の外寄り側に環状コイルスプリング２７を張り状に嵌着してゴム質環状部材２６の最外周縁部に密接させると共に環状コイルスプリング２７の最外周縁部を中心張出フレーム部１６ｃの外周面よりも外方へ突出させたものとなされている。
【００３６】
さらに円板体１６の環状半径面部１６ａの外周縁ｇ１、環状当接部材１８の外周縁ｇ２、及び、環状巻芯部材１７の外周面ｇ３の関係は、図４に示すように外周縁ｇ１及び外周縁ｇ２が外周面ｇ３からこれの半径方向外側へ突出した状態となされている。この際、外周縁ｇ１及び外周縁ｇ２は外周面ｇ３よりも凡そ０．２ｍｍ〜数ｍｍ程度突出させるのが関連部材をコンパクト化させ軽量化させる上で好ましい。なお該関係は上記内容に限定する趣旨ではないのであり、基本的には、環状巻芯部材１７が環状半径面部１６ａ及び環状当接部材１８で安定的に挟み付けられるものであれば足りるのである。
【００３７】
上記構造のシート巻芯回転具１５を複数個嵌着されたシート巻取回転軸８ａ、８ｂを用いて例えば幅１．５ｍｍ程度の細幅帯状シートＡ１、Ａ２を巻き取るにはシート巻芯回転具１５における厚さ凡そ２ｍｍ程度の環状巻芯部材１７の外周面に細幅帯状シートＡ１、Ａ２の先端を両面テープ等で止着する。この際、円板体１６の切欠ｂ１と、環状当接部材１８の切欠ｅ１とは対向状に位置させた状態となすのが好ましいのであり、このようになされた切欠ｂ１及び切欠ｅ１は細幅帯状シートＡ１、Ａ２を手指で環状巻芯部材１７の外周面ｇ３に止着させる処理のための空間を付与してその処理を容易となす。この後にシート巻取回転軸８ａ、８ｂをモータ等で回転させて張力調整機構２０の押圧手段２５に適当大きさの押圧力を発生させ、各部を定常の作動状態とする。
【００３８】
押圧手段２５の押圧力は転がり軸受２２ａ、２２ｂの内輪ｃ１、ｃ２及び外輪ｃ３、ｃ４の相対回転抵抗を介してシート巻取回転軸８ａ、８ｂの回転を各円板体１６に伝達させるのであり、これにより各円板体１６はその対応する環状巻芯部材１７をシート巻取回転軸８ａ、８ｂの回転中心回りへ同体状に回転させる。該回転により各環状巻芯部材１７は引取ロール６ａ、６ｂ及び引取ロール７ａ、７ｂから連続的に供給される細幅帯状シートＡ１、Ａ２を転がり軸受２２ａ、２２ｂの内輪ｃ１、ｃ２及び外輪ｃ３、ｃ４の相対回転抵抗に対応した張力でその外周面ｇ３に例えば毎分凡そ１２０ｍ程度の速度でロール状に巻き取っていく。
【００３９】
この巻取り中、環状巻芯部材１７は係止外周面部１６ｂでその半径方向位置をシート巻取回転軸８ａ、８ｂと同心に安定的に保持されると共に環状当接部材１８により弾性保持手段１９の弾性力で押圧されてシート巻取回転軸８ａ、８ｂの回転中心線方向の位置を特定位置に安定的に保持されるため、従来において問題の生じていた巻取りの初期段階においても、細幅帯状シートＡ１、Ａ２は環状巻芯部材１７の外周面ｇ３から外れることなく的確に巻き取られるようになる。また環状半径面部１６ａの外周縁ｇ１及び環状当接部材１８の外周縁ｇ２が環状巻芯部材１７の外周面ｇ３よりも半径方向外方へ突出しているため、特に巻取りの初期段階において、たとえ細幅シートに若干の弛みが不可避的に生じたとしても、環状半径面部１６ａの外周縁ｇ１及び環状当接部材１８の外周縁ｇ２が環状巻芯部材１７の外周面ｇ３に巻き取られる直前の細幅帯状シートＡ１、Ａ２が環状巻芯部材１７の外周面の側方へ外れるのを規制するように案内するのであり、これにより細幅帯状シートＡ１、Ａ２は環状巻芯部材１７の外周面ｇ３から外れることなく的確に巻き取られる。
【００４０】
各環状巻芯部材１７に巻き取られたシートロールの径が特定大きさに達したときは、カッター装置４の作動やシート巻取回転軸８ａ、８ｂの回転を停止させると共に、押圧手段２５の押圧力を消失させることにより各円板体１６及び環状巻芯部材１７が自由に回転される状態とする。この状態の下で、各環状巻芯部材１７に巻き取られた細幅帯状シートＡ１、Ａ２の終端を供給側のこれらシートＡ１、Ａ２から切り離し、両面テープなどでシートロールの外周面に止着する。
【００４１】
次に各シート巻取回転軸８ａ、８ｂから各シート巻芯回転具１５を取り外し、それぞれのシート巻芯回転具１５の円板体１６から環状当接部材１８を取り外すことにより、環状巻芯部材１７の外周面ｇ３に細幅帯状シートＡ１、Ａ２が巻き取られた状態の図９に示すシートロール製品Ｓを取り外す。これの取外しの際は、環状半径面部１６ａの切欠ｂ１に指先を入れて環状巻芯部材１７の側面に押し力を付与するのであり、これにより環状巻芯部材１７及び環状当接部材１８が該押し力により弾性保持手段１９の位置保持力に抗しつつ環状半径面部１６ａから離れるように移動されるのであり、この移動開始時に、環状ゴム質部材２６及び環状コイルスプリング２７が環状当接部材１８の内周面１８ｂと干渉して弾性変形され縮径されることにより、環状巻芯部材１７及び環状当接部材１８は弾性保持手段１９の反環状半径面部１６ａ側に移動されて中心張出フレーム部１６ｃの外方へ取り出される。
【００４２】
このようにシート巻取回転軸８ａ、８ｂから取り外された各シート巻芯回転具１５を使用してさらに細幅帯状シートＡ１、Ａ２を巻き取るときは、細幅帯状シートＡ１、Ａ２の巻かれていない別の環状巻芯部材１７を係止外周面部１６ｂに外嵌させ、次に環状当接部材１８を中心張出フレーム部１６ｃに外嵌させて弾性保持手段１９の弾力に抗して押し込み、この状態となされた各シート巻芯回転具１５を再び図４に示すように各シート巻取回転軸８ａ、８ｂに装着して先と同様に巻き取らせる。
【００４３】
上記実施例は次のように変形することができる。
即ち、環状半径面部１６ａの外周縁ｇ１や、環状当接部材１８の外周縁ｇ２を環状巻芯部材１７の外周面ｇ３よりも半径方向外側へ突出させることに代えて、図１０に示すように環状巻芯部材１７の外周面ｇ３の各側部に半径方向外側へ突出した環状側壁部１７ａ、１７ａを形成することも差し支えない。この場合、環状巻芯部材１７の外周面ｇ３に巻き取られる直前の細幅帯状シートＡ１、Ａ２はその巻取り中に環状巻芯部材１７の外周面ｇ３から側方へ外れないように環状側壁部１７ａ、１７ａで連続的に案内される。
【００４４】
この際、図１１に示すように環状当接部材１８を設けないで環状巻芯部材１７を弾性保持手段１９により直接に押圧させる構成となすことも可能である。これによっても、従来の問題点を軽減させることができる。
【図面の簡単な説明】
【００４５】
【図１】本発明に係るシート巻芯回転具が装着されたスリッター巻取機の側面図である。
【図２】前記スリッター巻取機のカッター装置を示す正面図である。
【図３】前記スリッター巻取機のシート巻取回転軸周辺を示す正面図である。
【図４】本発明に係るシート巻芯回転具を装着されたシート巻取回転軸を示す正面図である。
【図５】図４のｘ−ｘ部を示す図である。
【図６】本発明に係るシート巻芯回転具の円板体を示す断面図である。
【図７】本発明に係るシート巻芯回転具を分解した状態を示す図である。
【図８】本発明に係るシート巻芯回転具の変形例を示す図である。
【図９】本発明に係るシート巻芯回転具で巻き取らせたシートロール製品を示す図である。
【図１０】本発明に係るシート巻芯回転具の変形例を示す図である。
【図１１】本発明に係るシート巻芯回転具の変形例を示す図である。
【符号の説明】
【００４６】
８ａ  シート巻取回転軸
８ｂ  シート巻取回転軸
１６  円板体
１６ａ  環状半径面部
１６ｂ  係止外周面部
１６ｃ  中心張出フレーム部
１６ｅ  環状溝
１７  環状巻芯部材
１７ａ  環状側壁部
１８  環状当接部材
１９  弾性保持手段
２６  環状ゴム質部材
２７  環状コイルスプリング
ｂ１  切欠
ｇ１  外周縁
ｇ２  外周縁
ｇ３  外周縁
【図１】
2005324926.tif 000003
【図２】
2005324926.tif 000004
【図３】
2005324926.tif 000005
【図４】
2005324926.tif 000006
【図５】
2005324926.tif 000007
【図６】
2005324926.tif 000008
【図７】
2005324926.tif 000009
【図８】
2005324926.tif 000010
【図９】
2005324926.tif 000011
【図１０】
2005324926.tif 000012
【図１１】
2005324926.tif 000013